(57)【要約】【課題】厚みを抑えることができる複層ガラス用スチール製枠組み構造を提供する。【解決手段】二重ガラスの横方向両側部に位置する一対の縦框部材と、二重ガラスの上方及び下方にそれぞれ位置する上框部材及び下框部材と、を備え、一対の縦框部材、上框部材及び下框部材の内側面の前後方向の両縁部には、それぞれ一対の起立部が形成され、二重ガラスは、その周縁部が一対の起立部の間に形成されたに収容されることにより保持されており、縦框部材、上框部材及び下框部材の前後面を形成するスチール製板材から形成されえたベース材１４を有し、ベース材１４は、前後面を形成する一対の側部１４Ｂと、側部１４Ｂの二重ガラス側の部分が前後方向中心に向かってに折り返されてなる折り返し部１４Ｃとを含み、側部１４Ｂと折り返し部１４Ｃが隙間なく当接することにより、起立部が形成されている。【選択図】図５
2015101883.tif 000002
【特許請求の範囲】
【請求項１】
前後方向に離間して設けられたガラスを保持するためのスチール製枠組み構造であって、
前記ガラスの横方向両側部に位置する一対の縦框部材と、
前記ガラスの上方及び下方にそれぞれ位置する上框部材及び下框部材と、を備え、
前記一対の縦框部材、上框部材及び下框部材の内側面の前後方向の両縁部には、それぞれ一対の起立部が形成され、前記ガラスは、その周縁部が当該一対の起立部の間に形成された溝部に収容されることにより保持されており、
前記縦框部材、上框部材及び下框部材は、これらの前後面を形成するスチール製板材から形成されえたベース部を有し、
前記ベース部は、前記前後面を形成する一対の側部と、前記側部のガラス側の部分が前後方向中心に向かってに折り返されてなる折り返し部とを含み、
前記側部と前記折り返し部が隙間なく当接することにより、前記起立部が形成されている、スチール製枠組み構造。
【請求項２】
前記ガラスは複層ガラスである、請求項１に記載されたスチール製枠組み構造。
【請求項３】
前記上框部材のベース部は、正面視丁字形に形成され、横方向に突出する一対の端部を有し、前記上框部材のベース部の端部には、水平断面視コ字形の端部補強材が、前記端部の前後面及び側部に沿って取り付けられており、
前記縦框部材は、内部に、水平断面視コ字形であり、底部及び前記底部の両縁部から延びる一対の側部を有する縦框補強材が、前記側部が前記縦框部材のベース部に当接接合されることにより取り付けられており、前記縦框補強材の上端は、前記縦框部材のベース部よりも、前記上框部材の端部の高さ分だけ、下方において終端しており、
前記上框部材の端部が前記縦框部材のベース部の一対の側部の間に嵌め込まれることにより、前記上框部材と縦框部材とは接合され、
前記接合された状態において、
前記上框部材に取り付けられた端部補強材の横方向内側の縁が、前記縦框部材の折り返し部の横方向外側の縁と当接し、かつ、前記上框部材に取り付けられた端部補強材の下側の縁の少なくとも一部が、前記縦框部材の前記縦框補強材の上端と当接している、
請求項１または２に記載されたスチール製枠組み構造。
【請求項４】
前記下框部材のベース部は、正面視逆丁字形に形成され、横方向に突出する一対の端部を有し、前記下框部材のベース部の端部には、水平断面視コ字形の端部補強材が、前記端部の前後面及び側部に沿って取り付けられており、
前記縦框部材には、内部に、水平断面視コ字形であり、底部及び前記底部の両縁部から延びる一対の側部を有する縦框補強材が、前記側部が前記縦框部材のベース部に当接接合されることにより取り付けられており、前記縦框補強材の下端は、前記縦框部材のベース部よりも、前記下框部材の端部の高さ分だけ上方において終端しており、
前記下框部材の端部が前記縦框部材のベース部の一対の側部の間に嵌め込まれることにより、前記下框部材と縦框部材とは接合され、
前記接合された状態において、
前記下框部材に取り付けられた端部補強材の横方向内側の縁が、前記縦框部材の折り返し部の横方向外側の縁と当接し、かつ、前記下框部材に取り付けられた端部補強材の上側の縁の少なくとも一部が、前記縦框部材の前記縦框補強材の下端と当接している、
請求項１から３の何れか１項に記載されたスチール製枠組み構造。
【請求項５】
前記縦框部材の前方又は後方の少なくとも一方の側部の上端部の横方向内側には、上下方向に前記上框部材の側部の全高と等しい高さの上方切り欠き部が形成されており、
前記縦框部材と前記上框部材との接合部において、前記上框部材の前記前方又は後方の少なくとも一方の側部の横方向の縁部は、前記上方切り欠き部の上下方向に延びる縁部と当接し、前記縦框部材と前記上框部材とが同一平面上に位置している、請求項１または２に記載された構成枠組み構造。
【請求項６】
前記縦框部材の前方又は後方の少なくとも一方の側部の下端部の横方向内側には、上下方向に前記下框部材の側部の全高と等しい高さの下方切り欠き部が形成されており、
前記縦框部材と前記下框部材との接合部において、前記下框部材の前方又は後方の少なくとも一方の側部の横方向の縁部は、前記下方切り欠き部の上下方向に延びる縁部と当接し、前記縦框部材と前記下框部材とが同一平面上に位置している、請求項１、２、または５に記載された構成枠組み構造。
【発明の詳細な説明】
【技術分野】
【０００１】
本発明は、複層ガラス用スチール製枠組み構造に関し、特に、前後方向に離間して設けられた二重ガラスを保持するためのスチール製枠組み構造に関する。
【背景技術】
【０００２】
従来より、商業施設やオフィスビル等の建物の出入り口には、耐火基準等の観点からスチール製枠組みを用いたガラスドアが用いられている。このようなスチール製枠組みを構成する框部材は、住宅等で用いられているアルミ製のサッシを構成する框部材とその製造方法が異なっている。すなわち、アルミ製のサッシの框部材は、アルミ材料を押出し成形することにより同一断面かつ長尺に成形するのに対して、スチール製枠組みを構成する框部材は、スチール板をプレス加工やロールフォーミングにより所定の断面に成形している。
【０００３】
例えば、特許文献１にはこのような従来から用いられているスチール製枠組みについて開示されている。図１８は、従来技術であるスチール製枠組みを構成する框部材（下框）３００の断面図である。同図に示すように、従来用いられていたスチール製の框部材３００は、ベース部３１０と、ベース部３１０の上部両側から上方に延びる起立部３２０とを備える。ベース部３１０は長軸方向に延びる底部３１１と、底部３１１の両側に起立して設けられた側部３１２とにより画成され、側部３１２の間に中空部３１３が設けられている。また、各起立部３２０は側部３１２から連続して延びる外側部３２１と、外側部３２１と間隔をあけて平行にのびる内側部３２２と、内側部３２２及び外側部３２１の上縁を結ぶ頂部３２３とを備える。内側部３２２と外側部３２１との間には中空部３２４が形成されている。各起立部３２０の内側部３２２の下縁の間は、隙間底部３３０により接続されている。これにより、一対の起立部３２０の間に長手方向に延びる溝３４０が画成され、ガラス板３５０は、この溝３４０内に保持されている。
【先行技術文献】
【特許文献】
【０００４】
【特許文献１】特開２００８−２１４９８５号公報
【発明の概要】
【発明が解決しようとする課題】
【０００５】
ところで、近年、省エネルギーの観点から、建物の断熱性を向上するため、二重ガラスを用いることが行われている。そして、既存の商業施設やオフィスビル等の建物等においても、既存の一枚ガラスのガラスドアを二重ガラスのガラスドアに変更することが所望されている。
【０００６】
しかしながら、上記の通り、従来のスチール製枠組みを構成する框部材は、ガラスを保持するための起立部が中空に形成されている。このため、二重ガラスドアにこの框部材を適用しようとしても、従前の一枚ガラスの時に比べてガラスドアの厚みが増してしまい、改修に適さないという問題があった。
【０００７】
本発明は、上記の問題に鑑みなされたものであり、その目的は、厚みを抑えることが可能な複層ガラス用スチール製枠組み構造を提供することである。
【課題を解決するための手段】
【０００８】
本発明のスチール製枠組み構造は、前後方向に離間して設けられた複層ガラスを保持するためのスチール製枠組み構造であって、複層ガラスの横方向両側部に位置する一対の縦框部材と、複層ガラスの上方及び下方にそれぞれ位置する上框部材及び下框部材と、を備え、一対の縦框部材、上框部材及び下框部材の内側面の前後方向の両縁部には、それぞれ一対の起立部が形成され、ガラスは、その周縁部が一対の起立部の間に形成された溝部に収容されることにより保持されており、縦框部材、上框部材及び下框部材は、これらの前後面を形成するスチール製板材から形成されえたベース部を有し、ベース部は、前後面を形成する一対の側部と、側部の複層ガラス側の部分が前後方向中心に向かってに折り返されてなる折り返し部とを含み、側部と折り返し部が隙間なく当接することにより、起立部が形成されている。
本発明において好ましくは、ガラスは複層ガラスである。
かかる構成の本発明によれば、側部と折り返し部が隙間なく当接しているため、起立部内に隙間が形成されず、起立部の厚さを抑えることができる。
なお、本明細書において「スチール」とはステンレス鋼を含むものである。
【０００９】
上記のスチール製枠組み構造において、好ましくは、上框部材のベース部は、正面視丁字形に形成され、横方向に突出する一対の端部を有し、上框部材のベース部の端部には、水平断面視コ字形の端部補強材が、端部の前後面及び側部に沿って取り付けられており、縦框部材は、内部に、水平断面視コ字形であり、底部及び底部の両縁部から延びる一対の側部を有する縦框補強材が、側部が縦框部材のベース部に当接接合されることにより取り付けられており、縦框補強材の上端は、縦框部材のベース部よりも、上框部材の端部の高さ分だけ、下方において終端しており、上框部材の端部が縦框部材のベース部の一対の側部の間に嵌め込まれることにより、上框部材と縦框部材とは接合され、接合された状態において、上框部材に取り付けられた端部補強材の横方向内側の縁が、縦框部材の折り返し部の横方向外側の縁と当接し、かつ、上框部材に取り付けられた端部補強材の下側の縁の少なくとも一部が、縦框部材の縦框補強材の上端と当接している。
かかる構成の本発明によれば、上框部材と縦框部材とを、強固に接合することができる。
【００１０】
また、上記のスチール製枠組み構造において、好ましくは、下框部材のベース部は、正面視逆丁字形に形成され、横方向に突出する一対の端部を有し、下框部材のベース部の端部には、水平断面視コ字形の端部補強材が、端部の前後面及び側部に沿って取り付けられており、縦框部材には、内部に、水平断面視コ字形であり、底部及び底部の両縁部から延びる一対の側部を有する縦框補強材が、側部が縦框部材のベース部に当接接合されることにより取り付けられており、縦框補強材の下端は、縦框部材のベース部よりも、下框部材の端部の高さ分だけ上方において終端しており、下框部材の端部が縦框部材のベース部の一対の側部の間に嵌め込まれることにより、下框部材と縦框部材とは接合され、接合された状態において、下框部材に取り付けられた端部補強材の横方向内側の縁が、縦框部材の折り返し部の横方向外側の縁と当接し、かつ、下框部材に取り付けられた端部補強材の上側の縁の少なくとも一部が、縦框部材の縦框補強材の下端と当接している。
かかる構成の本発明によれば、下框部材と縦框部材とを、強固に接合することができる。
【００１１】
また、上記のスチール製枠組み構造において、好ましくは、縦框部材の前方又は後方の少なくとも一方の側部の上端部の横方向内側には、上下方向に上框部材の側部の全高と等しい高さの上方切り欠き部が形成されており、縦框部材と上框部材との接合部において、上框部材の前方又は後方の少なくとも一方の側部の横方向の縁部は、上方切り欠き部の上下方向に延びる縁部と当接し、縦框部材と上框部材とが同一平面上に位置している。
かかる構成の本発明によれば、上框部材の側部と縦框部材の側部とが平坦となり、意匠性を向上することができる。
【００１２】
また、上記のスチール製枠組み構造において、好ましくは、縦框部材の前方又は後方の少なくとも一方の側部の下端部の横方向内側には、上下方向に下框部材の側部の全高と等しい高さの下方切り欠き部が形成されており、縦框部材と下框部材との接合部において、下框部材の前方又は後方の少なくとも一方の側部の横方向の縁部は、下方切り欠き部の上下方向に延びる縁部と当接し、縦框部材と下框部材とが同一平面上に位置している。
かかる構成の本発明によれば、下框部材の側部と縦框部材の側部とが平坦となり、意匠性を向上することができる。
【発明の効果】
【００１３】
本発明によれば、厚みを抑えた複層ガラス用スチール製枠組み構造を提供することができる。
【図面の簡単な説明】
【００１４】
【図１】第１実施形態のスチール製枠組み構造を示す正面図である。
【図２】図１におけるＡ−Ａ断面図である。
【図３】図１におけるＢ−Ｂ断面図である。
【図４】上框部材を示す斜視図である。
【図５】上框部材を示し、（Ａ）は上面図、（Ｂ）は正面図、（Ｃ）は見上げ図、（Ｄ）は左側面図、（Ｅ）は（Ｂ）におけるＥ−Ｅ断面図である。
【図６】下框部材を示す斜視図である。
【図７】下框部材を示し、（Ａ）は上面図、（Ｂ）は正面図、（Ｃ）は見上げ図、（Ｄ）は左側面図、（Ｅ）は（Ｂ）におけるＥ−Ｅ断面図である。
【図８】縦框部材を示す斜視図である。
【図９】縦框部材を示し、（Ａ）は上面図、（Ｂ）は正面図、（Ｃ）は横方向内側の側面図、（Ｄ）は横方向外側の側面図である。
【図１０】上框部材と右側の縦框部材との接合方法を説明するための図である。
【図１１】下框部材と右側の縦框部材との接合方法を説明するための図である。
【図１２】第２実施形態における上框部材の構成を示し、（Ａ）は斜視図、（Ｂ）は側面図、（Ｃ）は正面図である。
【図１３】第２実施形態における縦框部材の構成を示し、（Ａ）は斜視図、（Ｂ）は上面図、（Ｃ）は正面図である。
【図１４】第２実施形態における上框部材と、縦框部材の接合構造を示す正面図である。
【図１５】第３実施形態における上框部材の構成を示し、（Ａ）は斜視図、（Ｂ）は側面図、（Ｃ）は正面図である。
【図１６】第３実施形態における縦框部材の構成を示し、（Ａ）は斜視図、（Ｂ）は上面図、（Ｃ）は正面図である。
【図１７】第３実施形態における上框部材と、縦框部材の接合構造を示す正面図である。
【図１８】従来技術であるスチール製枠組みを構成する框部材（下框）の断面図である。
【発明を実施するための形態】
【００１５】
以下、本発明の二重ガラス用スチール製枠組み構造の実施形態を図面を参照しながら詳細に説明する。
＜第１実施形態＞
−構成枠組み構造−
図１〜図３は、本実施形態のスチール製枠組み構造１を示す図であり、図１は正面図、図２は図１におけるＡ−Ａ断面図、図３は図１におけるＢ−Ｂ断面図である。これらの図に示すように、本実施形態のスチール製枠組み構造１はドアとして用いられるものであり、スチール製枠組み本体２と、スチール製枠組み本体２により保持された一対の板ガラス４Ａ，４Ｂとを備える。
【００１６】
スチール製枠組み本体２は、内側に矩形状の開口２Ａが画成された枠組み構造であり、板ガラス４Ａ，４Ｂの上部及び下部にそれぞれ位置し、横方向に延びる上框部材１０及び下框部材２０と、板ガラス４Ａ，４Ｂの側方に位置し、上下方向に延びる左右の縦框部材３０、４０とを備える。左右の縦框部材３０の上端部が上框部材１０の両側部にそれぞれ接続され、左右の縦框部材３０の下端部が下框部材２０の両側部にそれぞれ接続されている。
【００１７】
上框部材１０の下部、下框部材２０の上部、及び縦框部材３０、４０の内側面の前後方向の両縁部には、各部材の長尺方向に延びる一対の起立部１２、２２、３２、４２が形成されている。
【００１８】
一対の板ガラス４Ａ，４Ｂは、周縁部において間にスペーサ５０を挟むことで所定の間隔に保持されている。そして、一対の板ガラス４Ａ，４Ｂは、周縁部が各框部材１０、２０、３０、４０の一対の起立部１２、２２、３２、４２の間に画成された溝部１２Ａ、２２Ａ、３２Ａ、４２Ａに収容されることにより、スチール製枠組み構造１内に保持されている。なお、各框部材１０、２０、３０、４０の起立部１２、２２、３２、４２と、板ガラス４Ａ，４Ｂの間には、シーリング部材５２が配置されている。
【００１９】
−上框部材−
図４は、上框部材１０を示す斜視図である。また、図５は、上框部材１０を示し、（Ａ）は上面図、（Ｂ）は正面図、（Ｃ）は見上げ図、（Ｄ）は左側面図、（Ｅ）は（Ｂ）におけるＥ−Ｅ断面図である。これらの図に示すように、上框部材１０は、正面視丁字状を呈しており、中央部１０Ａと、中央部１０Ａの上部から横方向両側に延びる一対の端部１０Ｂとを備える。端部１０Ｂは、中央部１０Ａに比べて全高が短い。
【００２０】
上框部材１０は、ベース材１４と、溝部補強材１６と、一対の上部補強材１８と、一対の端部補強材１９と、により構成される。これら構成材１４、１６、１８、１９は、スチール板を折り曲げ加工することにより構成されており、各構成材１４、１６、１８、１９は溶接及びボルトにより一体に接続されている。
【００２１】
図４及び図５に示すように、ベース材１４は正面視略丁字状であり、上部１４Ａと、上部１４Ａの前後方向の縁端部から延びる一対の側部１４Ｂと、各側部１４Ｂの中央部１４Ｆの下端から折り返されて延びる一対の折り返し部１４Ｃと、折り返し部１４Ｃの上端縁から水平方向に延びる一対の溝底部１４Ｄとを備える。
【００２２】
上部１４Ａは、上框部材１０の最上部に位置する部位であり、矩形状に形成され上框部材１０の全長に亘って延びている。側部１４Ｂは、上部１４Ａの前後の縁端部で折り曲げられ、上框部材１０の全高に亘って下方に向かって延びる部位であり、横方向中央に位置する中央部１４Ｆと、中央部１４Ｆの上部両側に位置する端部１４Ｅとを有する。中央部１４Ｆは、上部１４Ａから上方に向かって上框部材１０の上下方向全高に亘って延びている。これに対して、端部１４Ｅは、上部１４Ａから上框部材１０の端部１０Ｂの高さ分だけ延びて終端している。折り返し部１４Ｃは、中央部１４Ｆの下端から内側に折り返されて、中央部１４Ｆに沿って上方に向かって延びる部位である。折り返し部１４Ｃは、折り返し部１４Ｃの内側面に当接接合されている。溝底部１４Ｄは、折り返し部１４Ｃの上縁部が前後方向に内側に向かって折り曲げられ、上框部材１０の厚さ方向中央まで延びる部分である。一対の溝底部１４Ｄの縁は互いに対向している。
【００２３】
溝部補強材１６は、底部１６Ａと、底部１６Ａの前後の縁端部から上方に延びる一対の側部１６Ｂとを備えた鉛直断面「コ」の字形の長尺部材であり、上方に向かって開口するように、ベース材１４の一対の中央部１４Ｆの間に配置されている。底部１６Ａは、ベース材１４の一対の溝底部１４Ｄの上面に沿って延びるとともに、溝底部１４Ｄに当接接合されている。また、側部１６Ｂは、一対の中央部１４Ｆの内側面に沿って延びるとともに、中央部１４Ｆに当接接合されている。
【００２４】
一対の上部補強材１８は、それぞれ、矩形状の板材であり、ベース材１４の一対の端部１４Ｅの間を延びるように配置されている。各上部補強材１８は、ベース材１４の側部１４Ｂの内面に沿って延び、側部１４Ｂに当接接合されている。
【００２５】
端部補強材１９は、水平断面視「コ」の字形に形成された部材であり、ベース材１４の端部１４Ｅと同等の高さを有する。端部補強材１９の平行に延びる一対の側部１９Ａが、それぞれベース材１４の一対の端部１４Ｅの前後方向外側面に当接接合されており、両ベース材１４の端部１４Ｅの間を、基部面１９Ｂが側方から前後方向に延びるように覆っている。
【００２６】
ベース材１４の中央部１４Ｆの溝部補強材１６の下縁よりも下方の下端部、及び、中央部１４Ｆから上方に向かって内側に折り返された折り返し部１４Ｃにより、起立部１２が画成されている。
【００２７】
−下框部材−
図６は、下框部材２０を示す斜視図である。また、図７は、下框部材２０を示し、（Ａ）は上面図、（Ｂ）は正面図、（Ｃ）は見上げ図、（Ｄ）は左側面図、（Ｅ）は（Ｂ）におけるＥ−Ｅ断面図である。同図に示すように、下框部材２０は、正面視逆丁字状を呈しており、中央部２０Ａと、中央部２０Ａの下部から横方向両側に延びる一対の端部２０Ｂとを備える。端部２０Ｂは、中央部２０Ａに比べて全高が短い。
【００２８】
下框部材２０は、ベース材２４と、溝部補強材２５と、下部補強材２６と、一対の端部補強材２９と、抑え部材２８と、により構成されている。これら構成部材２４、２５、２６、２８、２９は、スチール板を折り曲げ加工することにより構成されている。ベース材２４と、溝部補強材２５と、下部補強材２６と、一対の端部補強材２９と、は重なり合った部位において溶接及びボルトにより一体に接続されている。また、抑え部材２８は、ボルトにより溝部補強材２５に着脱可能に取り付けられている。
【００２９】
ベース材２４は、正面視略逆丁字状であり、底部２４Ａと、底部２４Ａの前縁部から延びる前部２４Ｃと、底部２４Ａの後縁部から延びる後部２４Ｂと、後部２４Ｂの中央部２４Ｇの上端から折り返されて延びる折り返し部２４Ｄと、折り返し部２４Ｄの下端から水平方向に延びる溝底部２４Ｆとを備える。
【００３０】
底部２４Ａは、下框部材２０の最下部に位置する部位であり、下框部材２０の全長に亘って延びており、矩形状に形成されている。前部２４Ｃは、底部２４Ａの前方側の縁端部で折り曲げられ、上方に向かって所定の高さまで延びている部位である。なお、この前部２４Ｃの高さは、下框部材２０の端部２０Ｂの高さと等しい。
【００３１】
後部２４Ｂは、底部２４Ａの後方側の縁端部で折り曲げられ、上方に向かって延びる部位であり、横方向中央に位置する中央部２４Ｇと、中央部２４Ｇの下部両側に位置する端部２４Ｈとを有する。中央部２４Ｇは、底部２４Ａから上方に向かって下框部材２０の上下方向全高に亘って延びている。これに対して、端部２４Ｈは、底部２４Ａから下框部材２０の端部２０Ｂの高さ分だけ延びて終端している。
【００３２】
折り返し部２４Ｄは、中央部２４Ｇの上端から内側に折り返されて、中央部２４Ｇに沿って下方に向かって延びる部位である。折り返し部２４Ｄは、中央部２４Ｇの内側面に当接接合されている。溝底部２４Ｆは、折り返し部２４Ｄの下端が前後方向に内側に向かって折り曲げられた部位である。
【００３３】
前部２４Ｃは、底部２４Ａの前方側の縁端部で折り曲げられ、下框部材２０の端部２０Ｂの高さだけ上方に向かって延びる部位である。
【００３４】
溝部補強材２５は、溝裏部２５Ａと、溝裏部２５Ａの前方の縁端部から延びる前部２５Ｃと、溝裏部２５Ａの後方の縁端部から延びる後部２５Ｂとを備える。溝裏部２５Ａは、下框部材２０の中央部２０Ａの横方向全幅に亘って延びる矩形状に形成され、ベース材２４の溝底部２４Ｆの裏面に沿って延びるとともに、溝底部２４Ｆの下面に当接接合された部位である。
【００３５】
前部２５Ｃは、溝底部２４Ｆの前方側の縁端部で折り曲げられ、下方に向かって延びる部位であり、横方向中央に位置する中央部２５Ｄと、中央部２５Ｄの下部両側に位置する端部２５Ｅとを有する。中央部２５Ｄ及び端部２５Ｅは下縁がベース材２４の底部２４Ａの上面に当接している。端部２５Ｅは、上框部材２０の端部２０Ｂの高さと略等しい高さを有している。中央部２５Ｄの下部及び端部２５Ｅは、ベース材２４の前部２４Ｃに沿って延びるとともに、前部２４Ｃに当接接合されている。
【００３６】
後部２５Ｂは、溝底部２４Ｆの後方側の縁端部で折り曲げられ、下方に向かって延びる部位である。後部２５Ｂは、ベース材２４の中央部２４Ｇに沿って延びるとともに、中央部２４Ｇに当接接合されている。
【００３７】
下部補強材２６は、ベース材２４の両端部２４Ｈの間を延びるように配置された矩形状の板材である。下部補強材２６は、ベース材２４の後部２４Ｂに沿って延び、後部２４Ｂに当接接合されている。
【００３８】
端部補強材２９は、水平断面視「コ」の字形に形成された部材であり、ベース材２４の端部２４Ｅと同等の高さを有する。端部補強材２９の平行に延びる一対の側部２９Ａが、それぞれベース材２４の一対の端部２４Ｈの前後方向外側面に当接接合されており、ベース材２４の両端部２４Ｅの間の側部を、基部面２９Ｂが側方から前後方向に延びるように覆っている。
【００３９】
抑え部材２８は、前部２８Ａと、前部２８Ａの上縁部で内側に折り返されて下方に向かって延びる折り返し部２８Ｂとを備える。抑え部材２８の横方向幅は、スチール製枠組み本体２の開口２Ａの横方向幅と略等しい。
【００４０】
下框部材２０においては、ベース材２４の中央部２４Ｇの溝部補強材２５の溝裏部２５Ａよりも上方の上端部、及び、中央部２４Ｇから下方に向かって内側に折り返された折り返し部２４Ｄにより、一方の起立部２２が画成されている。また、抑え部材２８の前部２８Ａの溝部補強材２５の溝裏部２５Ａよりも上方の上端部、及び、前部２８Ａから下方に向かって内側に折り返された折り返し部２８Ｂにより、他方の起立部２２が画成されている。
【００４１】
−縦框部材−
左右の縦框部材３０、４０は、起立部３２、４２の高さが異なるのみで、他の構成については同一であるため、以下、図１における右側の縦框部材４０について説明する。
【００４２】
図８は、縦框部材４０を示す斜視図である。また、図９は、縦框部材４０を示し、（Ａ）は上面図、（Ｂ）は正面図、（Ｃ）は横方向内側の側面図、（Ｄ）は横方向外側の側面図である。
縦框部材４０は、ベース材４４と、ベース材４４の内側に配置された溝部補強材４６とを備える。
【００４３】
ベース材４４は、スチール製枠組み本体２の横方向外側に位置する底部４４Ａと、底部４４Ａの前後方向の両縁端部から横方向内側に延びる側部４４Ｂと、側部４４Ｂの横方向内側の縁端部から折り返されて延びる折り返し部４４Ｃと、折り返し部４４Ｃの横方向外側の縁端部から前後方向内側に向かって延びる溝底部４４Ｄとを備える。
【００４４】
底部４４Ａは、矩形状に形成され、スチール製枠組み本体２の全高に亘って上下方向に延びている。側部４４Ｂは、底部４４Ａの前後の縁端部で折り曲げられ、スチール製枠組み本体２の横方向内側に向かって延びる部位であり、スチール製枠組み本体２の全高と等しい高さを有する。折り返し部４４Ｃは、側部４４Ｂの横方向内側の縁端部で内側に折り返され、スチール製枠組み本体２の横方向外側に向かって側部４４Ｂに沿って延びる部位であり、スチール製枠組み本体２の全高と等しい高さを有する。折り返し部４４Ｃは、側部４４Ｂの内側面に当接接合されている。溝底部４４Ｄは、折り返し部４４Ｃの横方向外側の縁端部が前後方向に内側に向かって折り曲げられ、縦框部材４０の厚さ方向中央まで延びる部分である。一対の溝底部４４Ｄの縁は互いに対向している。図８、図９に示されているように、縦框部材の溝底部４４Ｄの上下は、上框部材１０及び下框部材２０の端部１０Ｂ，２０Ｂの高さ分だけ切り欠かれている。
【００４５】
溝部補強材４６は、底部４６Ａと、底部４６Ａの前後の縁端部から横方向外側に延びる一対の側部４６Ｂとを備えた鉛直断面「コ」の字形の長尺部材であり、横方向外側に向かって開口するようにベース材４４の一対の側部４４Ｂの間に配置されている。底部４６Ａは、ベース材４４の一対の溝底部４４Ｄの外側面に沿って延びるとともに、溝底部４４Ｄに当接接合されている。また、側部４６Ｂは、ベース材４４の一対の側部４４Ｂの内側面に沿って延びるとともに、側部４４Ｂに当接接合されている。溝部補強材４６の上端は、ベース材４４の上端よりも上框部材１０の端部１０Ｂの高さ分だけ、下方において終端している。また、溝部補強材４６の下端は、ベース材４４の下端よりも下框部材２０の端部２０Ｂの高さ分だけ、上方において終端している。
【００４６】
ベース材４４の側部４４Ｂの溝部補強材４６の底部４６Ａよりも横方向内側の部分、及び、側部４４Ｂの横方向内側の縁端部から横方向外側に向かって内側に折り返された折り返し部４４Ｃにより、起立部４２が画成されている。
【００４７】
−組立方法−
以下、スチール製枠組み本体２の組立方法について説明する。
まず、上框部材１０と縦框部材３０、４０との接合方法について説明する。なお、上框部材１０と図１の左側の縦框部材３０との接合方法と、上框部材１０と図１の右側の縦框部材４０との接合方法と、は同じであるため、以下の説明では、上框部材１０と右側の縦框部材４０との接合方法について説明する。
【００４８】
図１０は、上框部材１０と右側の縦框部材４０との接合方法を説明するための図である。同図に示すように、上框部材１０と右側の縦框部材４０とを接合する際には、上框部材１０の端部１０Ｂが、縦框部材４０の上端部において、縦框部材４０のベース材４４の両側部４４Ｂの間に位置するように嵌め込む。
【００４９】
これにより、上框部材１０の端部補強材１９の側部１９Ａの下縁が、縦框部材４０の溝部補強材４６の側部４６Ｂの上縁と当接する。また、上框部材１０の端部補強材１９の側部１９Ａの横方向内側の縁が、縦框部材４０のベース材４４の折り返し部４４Ｃの横方向外側の縁と当接する。さらに、上框部材１０の端部補強材１９の側部１９Ａが、縦框部材４０のベース材４４の側部４４Ｂの内側面に当接し、上框部材１０の端部補強材１９の基部面１９Ｂが縦框部材４０のベース材４４の底部４４Ａに当接する。また、上框部材１０のベース材１４の中央部１４Ｆの縦框部材４０側の外周面の一部が、縦框部材４０のベース材４４の折り返し部４４Ｃと当接する。
【００５０】
このように、上框部材１０の端部１０Ｂを、縦框部材４０のベース材４４の両側部４４Ｂの間に位置するように嵌め込んだ状態で、上框部材１０と縦框部材４０とを溶接又はボルトにより接合する。かかる構成により、上框部材１０と右側の縦框部材４０とを、強固に接合することができる。
【００５１】
次に、下框部材２０と縦框部材３０、４０との接合方法について説明する。なお、下框部材２０と図１の左側の縦框部材３０との接合方法と、下框部材２０と図１の右側の縦框部材４０との接合方法と、は同じであるため、以下の説明では、下框部材２０と右側の縦框部材４０との接合方法について説明する。
【００５２】
図１１は、下框部材２０と右側の縦框部材４０との接合方法を説明するための図である。同図に示すように、下框部材２０と右側の縦框部材４０とを接合する際には、下框部材２０の端部２０Ｂが、縦框部材４０の下端部において、縦框部材４０のベース材４４の両側部４４Ｂの間に位置するように嵌め込む。
【００５３】
これにより、下框部材２０の端部補強材２９の側部２９Ａの上縁が、縦框部材４０の溝部補強材４６の側部４６Ｂの下縁と当接する。また、下框部材２０の端部補強材２９の側部２９Ａの横方向内側の縁が、縦框部材４０のベース材４４の折り返し部４４Ｃの横方向外側の縁と当接する。さらに、下框部材２０の端部補強材２９の側部２９Ａが、縦框部材４０のベース材４４の側部４４Ｂの内側面に当接し、下框部材２０の端部補強材２９の基部面２９Ｂが縦框部材４０のベース材４４の底部４４Ａに当接する。また、下框部材２０のベース材２４の中央部２４Ｇ及び前部２４Ｃの縦框部材４０側の部分が、縦框部材４０のベース材４４の折り返し部４４Ｂと当接する。
【００５４】
このように、下框部材２０の端部２０Ｂを、縦框部材４０のベース材４４の両側部４４Ｂの間に位置するように嵌め込んだ状態で、下框部材２０と縦框部材４０とを溶接又はボルトにより接合する。かかる構成により、下框部材２０と右側の縦框部材４０とを、強固に接合することができる。
【００５５】
−作用効果−
以上説明したように、本実施形態のスチール製枠組み構造１によれば、各框部材の二重ガラスを保持するための起立部１２、２２、３２、４２を、框部材の側部を構成するスチール板を内側に折り返して構成しており、この折り返した部分と側部を構成するスチール板とが当接している。これにより、従来のように起立部１２、２２、３２、４２内に隙間が形成されず、起立部の厚さを抑えることができる。
【００５６】
そして、このように起立部１２、２２、３２、４２の厚さを抑えることができるため、スチール製枠組み構造１全体の厚さも抑えることができ、一枚ガラスのガラスドアを二重ガラスのガラスドアに変更するような場合であっても、ガラスドアの厚みを変更することなく改修することができる。
さらに、例えば、板ガラスとして網入りガラスを用いた場合には、薄い構造でありながら、耐火性を向上することが可能である。
【００５７】
また、本実施形態では、上框部材１０と縦框部材４０とが接合した状態において、上框部材１０に取り付けられた端部補強材１９の横方向内側の縁が、縦框部材４０のベース材４４の折り返し部４４Ｃの横方向外側の縁と当接し、かつ、上框部材１０に取り付けられた端部補強材１９の側部１９Ａの下側の縁が、縦框部材４０の溝部補強材４６の側部４６Ｂの上端と当接している。これにより、上框部材１０と右側の縦框部材４０とを、強固に接合することができる。
【００５８】
また、本実施形態では、下框部材２０と縦框部材４０とが接合した状態において、下框部材２０に取り付けられた端部補強材２９の横方向内側の縁が、縦框部材４０のベース材４４の折り返し部４４Ｃの横方向外側の縁と当接し、かつ、下框部材２０に取り付けられた端部補強材２９の側部２９Ａの上側の縁が、縦框部材４０の溝部補強材４６の側部４６Ｂの下端と当接している。これにより、下框部材２０と右側の縦框部材４０とを、強固に接合することができる。
【００５９】
＜第２実施形態＞
なお、上記の第１実施形態では、上框部材１０のベース材１４の中央部１４Ｆ、及び、下框部材２０のベース材２４の中央部２４Ｇが、縦框部材３０、４０のベース材４４の折り返し部４４Ｃの内側に位置しており、これら部材の接合部に段差が生じてしまう。以下、このような段差をなくした場合の実施形態について説明する。なお、以下の説明では、上框部材と縦框部材の接合構造についてのみ説明するが、下框部材と縦框部材との接合部についても同様に適用可能である。
【００６０】
−上框部材−
図１２は、別の実施形態における上框部材１１０の構成を示し、（Ａ）は斜視図、（Ｂ）は側面図、（Ｃ）は正面図である。本実施形態においても、上框部材１１０は、正面視丁字状を呈しており、中央部１１０Ａと、中央部１１０Ａの上部から横方向両側に延びる一対の端部１１０Ｂとを備える。
【００６１】
上框部材１１０は、ベース材１１２と、補強材１１４と、端部蓋材１１６とを備える。構成材１１２、１１４、１１６は、スチール板を折り曲げ加工することにより構成されており、各構成材１１２、１１４、１１６は溶接及びボルトにより一体に接続されている。
【００６２】
ベース材１１２は、正面視略丁字状であり、上部１１２Ａと、上部１１２Ａの前方の縁端部から下方に向かって延びる前部１１２Ｅと、前部１１２Ｅの下端から内側に折り返されて延びる前方折り返し部１１２Ｆと、上部１１２Ａの後方の縁端部から下方に向かって延びる後部１１２Ｂと、後部１１２Ｂの下端から内側に折り返されて延びる後方折り返し部１１２Ｃと、後方折り返し部１１２Ｃの上端から前方に向かって延びる溝底部１１２Ｄとを備える。
【００６３】
上部１１２Ａは略矩形状に形成され、横方向に上框部材１１０の略全幅に亘って延びている。
前部１１２Ｅは、上部１１２Ａの前方の縁端部で折り曲げられ、上框部材１１０の全高に向かって延びる部位である。前部１１２Ｅの横方向幅は、スチール製枠組み構造の開口の横方向幅よりわずかに大きくなっており、前部１１２Ｅの両側部は、前方折り返し部１１２Ｆよりも横方向内側で終端している。
【００６４】
前方折り返し部１１２Ｆは、前部１１２Ｅの下端から内側に折り返されて、前部１１２Ｅに沿って当接しながら上方に延びる部分である。前方折り返し部１１２Ｆの横方向幅は、前部１１２Ｅの横方向幅より大きく、上框部材１１０の横方向幅よりも小さく、前方折り返し部１１２Ｆの両側部は、横方向に上部１１２Ａと前部１１２Ｅの間で終端している。
【００６５】
後部１１２Ｂは、上部１１２Ａの後方の縁端部で折り曲げられ、上框部材１１０の全高に向かって延びる部位である。後部１１２Ｂの横方向幅は、スチール製枠組み構造の開口の横方向幅よりわずかに大きくなっており、後部１１２Ｂの両側部は、後方折り返し部１１２Ｃよりも横方向内側で終端している。
【００６６】
後方折り返し部１１２Ｃは、後部１１２Ｂの下端から内側に折り返されて、後部１１２Ｂに沿って当接しながら上方に延びる部分である。後方折り返し部１１２Ｃの横方向幅は、後部１１２Ｂの横方向幅より大きく、上框部材１１０の横方向幅よりも小さく、後方折り返し部１１２Ｃの両側部は、横方向に上部１１２Ａと後部１１２Ｂの間で終端している。
【００６７】
溝底部１１２Ｄは、後部１１２Ｂの上端から水平方向に折り曲げられ、前方に向かって延びる部位である。溝底部１１２Ｄの横方向幅は、後部１１２Ｂの横方向幅と等しく、前端部が前方折り返し部１１２Ｆの上端近傍に位置している。
【００６８】
補強材１１４は、矩形状に形成された上部１１４Ａと、上部１１４Ａの前縁部から下方に向かって延びる前部１１４Ｃと、前部１１４Ｃの下端から水平方向に後方に向かって延びる底部１１４Ｄと、底部１１４Ｄの後端部から上方に向かって延びる後下部１１４Ｅと、上部１１４Ａの後縁部から下方に向かって延びる後上部１１４Ｂとを備える。
【００６９】
補強材１１４の上部１１４Ａは、略矩形状に形成され、横方向に上框部材１１０の略全幅に亘って延びている。補強材１１４の上部１１４Ａの上面は、ベース材１１２の上部１１２Ａの下面と当接接合されている。
【００７０】
補強材１１４の後上部１１４Ｂは、上部１１４Ａの後方の縁端部で折り曲げられ、下方に延びる部位である。後上部１１４Ｂは、上框部材１１０の端部１１０Ｂの上下方向高さからベース材１１２の板厚を引いた長さだけ、下方に延びており、その横幅は、上部１１４Ａと等しい。後上部１１４Ｂの後面は、ベース材１１２の後部１１２Ｂの前面と当接接合されている。
【００７１】
補強材１１４の前部１１４Ｃは、中央部１１４Ｇと、中央部１１４Ｇの上部から側方に延びる側部１１４Ｆとを有する。補強材１１４の前部１１４Ｃは、上部１１４Ａの前方の縁端部で折り曲げられ、下方に延びる。補強材１１４の側部１１４Ｆは、後上部１１４Ｂと等しい横幅を有するとともに、後上部１１４Ｂの下端と同じ高さで終端している。補強材１１４の中央部１１４Ｇは、ベース材１１２の前方折り返し部１１２Ｆと等しい横幅を有するとともにベース材１１２の前方折り返し部１１２Ｆの上端の高さまで下方に延びている。
【００７２】
補強材１１４の底部１１４Ｄは、中央部１１４Ｇの下端から後方に向かって延びる部位である。底部１１４Ｄの横幅は中央部１１４Ｇの横幅と等しい。底部１１４Ｄは、ベース材１１２の下面は、溝底部１１２Ｄの上面と当接接合されている。
【００７３】
補強材１１４の後下部１１４Ｅは、底部１１４Ｄの後端部で折り曲げられ、上方に延びる部位である。後下部１１４Ｅの後面は、ベース材１１２の後部１１２Ｂの前面と当接接合されている。
【００７４】
端部蓋材１１６は、矩形状のスチール板であり、ベース材１１２の上部１１２Ａの横方向端縁と、補強材１１４の後上部１１４Ｂ及び側部１１４Ｆの横方向端縁を覆うように取り付けられている。
【００７５】
本実施形態では、ベース材１１２の後部１１２Ｂ及び前部１１２Ｅが特許請求の範囲における前後面を形成する一対の側部に該当し、ベース材１１２の後部１１２Ｂ及び後部１１２Ｂが内側に折り返されてなる後方折り返し部１１２Ｃと、前部１１２Ｅ及び前部１１２Ｅが内側に折り返されてなる前方折り返し部１１２Ｆとにより、起立部が構成されている。
【００７６】
なお、上記実施形態における、ベース材１１２の前部１１２Ｅと、前方折り返し部１１２Ｆとを、ベース材１１２とは別の部材として構成するとともに、前方折り返し部１１２Ｆの幅を前部１１２Ｅの幅と等しくすることで、二重ガラスを嵌め込む際に取り外し可能な押縁とすることもできる。
【００７７】
−縦框部材−
図１３は、別の実施形態における縦框部材１４０の構成を示し、（Ａ）は斜視図、（Ｂ）は上面図、（Ｃ）は正面図である。
縦框部材１４０は、ベース材１４２と、補強材１４４とを備える。これら構成材１４２、１４４は、スチール板を折り曲げ加工することにより構成されており、各構成材１４２、１４４は溶接及びボルトにより一体に接続されている。
【００７８】
ベース材１４２は、スチール製枠組み構造の側方に位置する底部１４２Ａと、底部１４２Ａの前後方向の両縁端部から横方向内側に延びる側部１４２Ｂと、側部１４２Ｂの横方向内側の縁端部から折り返されて延びる折り返し部１４２Ｃと、折り返し部１４２Ｃの横方向外側の縁端部から前後方向内側に向かって延びる溝底部１４２Ｄとを備える。
【００７９】
底部１４２Ａは、矩形状に形成され、スチール製枠組み本体の全高に亘って上下方向に延びている。側部１４２Ｂは、底部１４２Ａの前後の縁端部で折り曲げられ、スチール製枠組み本体の横方向内側に向かって延びる部位であり、スチール製枠組み本体の全高と等しい高さを有する。折り返し部１４２Ｃは、側部１４２Ｂの横方向内側の縁端部で内側に折り返され、スチール製枠組み本体の横方向外側に向かって側部１４２Ｂに沿って延びる部位である。折り返し部１４２Ｃの上端は、側部１４２Ｂの上端よりも下方において終端している。折り返し部１４２Ｃの上端と、側部１４２Ｂの上端との高さの差は、上框部材１１０のベース材１１２の前方折り返し部１１２Ｆの下端からベース材１１２の上端までの高さに等しい。なお、折り返し部１４２Ｃの下端も、上端同様に、側部１４２Ｂの下端よりも上方において終端している。折り返し部１４２Ｃは、側部１４２Ｂの内側面に当接接合されている。
【００８０】
溝底部１４２Ｄは、折り返し部１４２Ｃの横方向外側の縁端部が前後方向に内側に向かって折り曲げられ、縦框部材１４０の厚さ方向中央まで延びる部分である。一対の溝底部１４２Ｄの縁は互いに対向している。縦框部材１４０のベース材１４２の溝底部１４２Ｄの上端は、折り返し部１４２Ｃの上端と、側部１４２Ｂの上端との間で終端している。溝底部１４２Ｄの上端と、側部１４２Ｂの上端との高さの差は、上框部材１１０の端部１１０Ｂの高さに等しい。また、縦框部材１４０のベース材１４２の溝底部１４２Ｄの下端も、上端と同様に、折り返し部１４２Ｃの下端と、側部１４２Ｂの下端との間で終端している。
【００８１】
また、ベース材１４２の側部１４２Ｂ及び折り返し部１４２Ｃの上方の横方向内側部分は、矩形状に切り欠かれて切り欠き部１４２Ｅが形成されている。この切り欠き部１４２Ｅの高さは、上框部材１１０のベース材１１２の前部１１２Ｅの全高と等しい。
【００８２】
補強材１４４は、底部１４４Ａと、底部１４４Ａの前後の縁端部から横方向外側に延びる一対の側部１４４Ｂとを備えた鉛直断面「コ」の字形の長尺部材であり、横方向外側に向かって開口するようにベース材１４２の一対の側部１４２Ｂの間に配置されている。底部１４４Ａは、ベース材１４２の一対の溝底部１４２Ｄの外側面に沿って延びるとともに、溝底部１４２Ｄに当接接合されている。また、側部１４４Ｂは、一対の側部１４２Ｂの内側面に沿って延びるとともに、側部１４２Ｂに当接接合されている。補強材１４４の上端は、ベース材１４２の溝底部１４２Ｄの上端と同じ高さで終端している。これと同様に、縦框部材１４０の補強材１４４の下端は、ベース材１４２の溝底部１４２Ｄの下端と同じ高さで終端している。
【００８３】
縦框部材１４０においては、ベース材１４２の側部１４２Ｂ及び折り返し部１４２Ｃにより起立部が構成されている。
【００８４】
−組立方法−
図１４は、上框部材１１０と、縦框部材１４０の接合構造を示す正面図である。
同図に示すように、上框部材１１０と縦框部材１４０とを接合する際には、上框部材１１０の端部１１０Ｂが、縦框部材１４０の上端部において、縦框部材１４０のベース材１４２の両側部１４２Ｂの間に位置するように嵌め込む。そして、上框部材１１０と、縦框部材１４０と溶接及びボルトにより接合する。
【００８５】
これにより、上框部材１１０のベース材１１２の前方折り返し部１１２Ｆの前部１１２Ｅに対して横方向側方に突出した部分の下端が、縦框部材１４０のベース材１４２の折り返し部１４２Ｃの上縁に当接する。また、上框部材１１０の補強材１１４の後上部１１４Ｂ及び側部１１４Ｆの下縁が、縦框部材１４０の補強材１４４の側部１４４Ｂの上縁と当接する。また、上框部材１１０のベース材１１２の後部１１２Ｂ及び前部１１２Ｅの側方の縁と、縦框部材１４０のベース材１４２の側部１４２Ｂの切り欠き部１４２Ｅの側方の縁とが当接する。また、上框部材１１０の補強材１１４の前部１１４Ｃ及び後下部１１４Ｅ、及び、ベース材１１２の前方折り返し部１１２Ｆ後方折り返し部１１２Ｃの側方の縁と、縦框部材１４０の溝底部１４２Ｄの横方向内側面とが当接する。また、上框部材１１０の端部蓋材１１６の横方向外側面と、縦框部材１４０のベース材１４２の底部１４２Ａの横方向内側面とが当接する。かかる構成により、上框部材１１０と右側の縦框部材１４０とを、強固に接合することができる。
【００８６】
下框部材と縦框部材との接合部も、上記の上框部材１１０と、縦框部材１４０との接合部と同様に構成すればよい。
【００８７】
−作用効果−
本実施形態によれば、第１実施形態と同様の、起立部の厚さを抑えることができる効果及び、上又は下框部材と縦框部材とを強固に接合できる効果に加えて、以下の効果が奏される。
【００８８】
本実施形態では、上框部材１１０のベース材１１２の後部１１２Ｂ及び前部１１２Ｅの側方の縁と、縦框部材１４０のベース材１４２の側部１４２Ｂの切り欠き部１４２Ｅの上下方向に延びる側方の縁とが当接する。このため、上框部材１１０のベース材１１２の後部１１２Ｂ及び前部１１２Ｅが、縦框部材１４０のベース材１４２の側部１４２Ｂと同一平面となる。このため、組み立てられたスチール製枠組み構造は、前面及び後面が平坦となり、意匠性を向上することができる。
【００８９】
なお、下框部材と縦框部材との接合部においても、ベース材１４２の側部１４２Ｂ及び折り返し部１４２Ｃの下端の横方向内側部分に、矩形状の切り欠き部を形成しておき、
下框部材のベース材の後部及び前部の側方の縁と、縦框部材のベース材の側部の切り欠き部の上下方向に延びる側方の縁とを当接させることにより、前面及び後面が平坦となり、意匠性を向上することができる。
【００９０】
また、上記実施形態のように切り欠きを設けていない場合には、上框部材１１０のベース材１１２の後部１１２Ｂ及び前部１１２Ｅの側方の縁と、縦框部材の側部１４２Ｂを折り返した部分とが当接することとなり、長い距離に亘り、溝が生じてしまう。
【００９１】
＜第３実施形態＞
以下、本発明の第３実施形態について説明する。なお、以下の説明では、上框部材と縦框部材の接合構造についてのみ説明するが、下框部材と縦框部材との接合部についても同様に適用可能である。
【００９２】
−上框部材−
図１５は、第３実施形態における上框部材２１０の構成を示し、（Ａ）は斜視図、（Ｂ）は側面図、（Ｃ）は正面図である。本実施形態においても、上框部材２１０は、正面視丁字状を呈しており、中央部２１０Ａと、中央部２１０Ａの上部から横方向両側に延びる一対の端部２１０Ｂとを備える。
【００９３】
上框部材２１０は、ベース材２１２と、下部補強材２１４と、上部補強材２１６と、端部蓋材２１８とを備える。構成材２１２、２１４、２１６、２１８は、スチール板を折り曲げ加工することにより構成されており、各構成材２１２、２１４、２１６、２１８は溶接及びボルトにより一体に接続されている。
【００９４】
ベース材２１２は、正面視略丁字状であり、上部２１２Ａと、上部２１２Ａの前方の縁端部から下方に向かって延びる前部２１２Ｂと、前部２１２Ｂの下端から内側に折り返されて上方に延びる前方折り返し部２１２Ｃと、前方折り返し部２１２Ｃの上端から内側に向かって延びる前方溝底部２１２Ｄと、上部２１２Ａの後方の縁から下方に向かって延びる後部２１２Ｅと、後部２１２Ｅの下端から内側に折り返されて上方に延びる後方折り返し部２１２Ｆと、後方折り返し部２１２Ｆの上端から内側に向かって延びる後方溝底部２１２Ｇとを備える。
【００９５】
上部２１２Ａは略矩形状に形成され、横方向に上框部材２１０の略全幅に亘って延びている。
前部２１２Ｂは、上部２１２Ａの前方の縁端部で折り曲げられ、上框部材２１０の全高に向かって延びる部位である。前部２１２Ｂの横方向幅は、スチール製枠組み構造の開口の横方向幅よりわずかに大きくなっている。
【００９６】
前方折り返し部２１２Ｃは、前部２１２Ｂの下端から内側に折り返されて、前部２１２Ｂに沿って当接しながら上方に延びる部分である。前方折り返し部２１２Ｃの横方向幅は、前部２１２Ｂの横方向幅より大きく、上框部材２１０の横方向幅よりも小さく、前方折り返し部２１２Ｃの両側部は、横方向に上部２１２Ａと前部２１２Ｂの間で終端している。また、前方折り返し部２１２Ｃは、下端部が所定の高さまで切りかかれている。
【００９７】
前方溝底部２１２Ｄは、前方折り返し部２１２Ｃの上端から内側に向かって前後方向中間部まで延びる部分である。前方溝底部２１２Ｄの幅は前方折り返し部２１２Ｃの幅と等しい。なお、これら前方溝底部２１２Ｄ及び前方折り返し部２１２Ｃの幅は、後述するように上框部材２１０と、縦框部材２４０とを組み合わせた際に、これら前方溝底部２１２Ｄ及び前方折り返し部２１２Ｃの横方向の縁部が縦框部材２４０のベース材２４２の溝底部２４２Ｄ、２４２Ｈに当接するような長さである。
【００９８】
後部２１２Ｅは、上部２１２Ａの後方の縁端部で折り曲げられ、上框部材２１０の全高に向かって延びる部位であり、後上部２１２Ｅ１と後下部２１２Ｅ２とを備える。後上部２１２Ｅ１は上框部材２１０の略全幅にわたって延び、高さは端部２１０Ｂの高さと等しい。後下部２１２Ｅ２は、前方折り返し部２１２Ｃと等しい幅を有している。
【００９９】
後方折り返し部２１２Ｆは、後部２１２Ｅの下端から内側に折り返されて、後部２１２Ｅに沿って当接しながら上方に延びる部分である。後方折り返し部２１２Ｆの幅は後下部２１２Ｅ２の幅と等しい。
【０１００】
後方溝底部２１２Ｇは、後方折り返し部２１２Ｆの上端から内側に向かって前後方向中間部まで延びる部分である。後方溝底部２１２Ｇの幅は、後方折り返し部２１２Ｆの幅と等しい。また、後方溝底部２１２Ｇの内側端部は、前方溝底部２１２Ｄの内側端部と対向している。
【０１０１】
下部補強材２１４は、断面略コの字型に形成された部材であり、矩形状に形成された下部２１４Ａと、下部２１４Ａの前方の縁端部で折り曲げられ、上方に向かって延びる前部２１４Ｂと、下部２１４Ａの前方の縁端部で折り曲げられ、上方に向かって延びる後部２１４Ｃとを備える。
【０１０２】
下部２１４Ａの横方向の幅は、ベース材２１２の前方溝底部２１２Ｄ及び後方溝底部２１２Ｇの横方向の幅と等しい。また、下部２１４Ａは下面が、前方溝底部２１２Ｄ及び後方溝底部２１２Ｇの上面と当接接合されている。前部２１４Ｂ及び後部２１４Ｃの横方向の幅は、下部２１４Ａと等しい。また、前部２１４Ｂ及び後部２１４Ｃは、それぞれ、ベース材２１２の前部２１２Ｂ及び後部２１２Ｅと当接接合されている。
【０１０３】
上部補強材２１６は、断面略コの字型に形成された部材であり、矩形上に形成された上部２１６Ａと、上部２１６Ａの前方の縁端部で折り曲げられ、下方に向かって延びる前部２１６Ｂと、上部２１６Ａの後方の縁端部で折り曲げられ、下方に向かって延びる後部２１６Ｃとを備える。
【０１０４】
上部２１６Ａの横方向の幅は、ベース材２１２の上部２１２Ａの横方向の幅と等しい。上部２１６Ａの上面は、ベース材２１２の上部２１２Ａの下面と当接接合されている。また、前部２１６Ｂ及び後部２１６Ｃの横幅は、上部２１２Ａの横幅と等しく、前部２１６Ｂ及び後部２１６Ｃの下端は、ベース材２１２の後上部２１２Ｅ１の下端と同じ高さまで延びている。前部２１６Ｂの全面は、ベース材２１２の外側面の中央部２１０Ａに相当する部分は、前部２１２Ｂの内側面と当接接合されている。また、後部２１６Ｃの外側面はベース材２１２の後上部２１２Ｅ１の内側面と当接接合されている。
【０１０５】
端部蓋材２１８は、くの字型に形成された部材であり、上框部材２１０の端部２１０Ｂの高さと等しい高さを有する。端部蓋材２１８は、前後方向に延びる側部２１８Ａと、側部２１８Ａの後方の縁端部で折り曲げられ、横方向中央に向かって延びる後部２１８Ｂとを備える。側部２１８Ａは、上框部材２１０の端部２１０Ｂの側部を覆い、ベース材２１２の上部２１２Ａ及び後上部２１２Ｅ１の横方向端部と、下部補強材２１４の横方向端部が接合されている。後部２１８Ｂはベース材２１２の後上部２１２Ｅ１に沿って延び、ベース材２１２の後上部２１２Ｅ１に当接接合されている。
【０１０６】
−縦框部材−
図１６は、第３実施形態における縦框部材２４０の構成を示し、（Ａ）は斜視図、（Ｂ）は上面図、（Ｃ）は正面図である。
縦框部材２４０は、ベース材２４２と、補強材２４４とを備える。これら構成材２４２、２４４は、スチール板を折り曲げ加工することにより構成されており、各構成材２４２、２４４は溶接及びボルトにより一体に接続されている。
【０１０７】
ベース材２４２は、スチール製枠組み構造の側方に位置する底部２４２Ａと、底部２４２Ａの前方の縁端部から横方向内側に延びる前部２４２Ｂと、前部２４２Ｂの横方向内側の端部から折り返されて延びる前方折り返し部２４２Ｃと、前方折り返し部２４２Ｃの横方向外側の縁端部から前後方向内側に向かって延びる前方溝底部２４２Ｄと、底部２４２Ａの後方の縁端部から横方向内側に延びる後部２４２Ｆと、後部２４２Ｆの横方向内側の端部から折り返されて延びる後方折り返し部２４２Ｇと、後方折り返し部２４２Ｇの横方向外側の縁端部から前後方向内側に向かって延びる後方溝底部２４２Ｈと、を備える。
【０１０８】
底部２４２Ａは、矩形状に形成され、スチール製枠組み本体の全高に亘って上下方向に延びている。
前部２４２Ｂは、底部２４２Ａの前方の縁端部で折り曲げられ、スチール製枠組み本体の横方向内側に向かって延びる部位であり、スチール製枠組み本体の全高と等しい高さを有する。前方折り返し部２４２Ｃは、前部２４２Ｂの横方向内側の縁端部で内側に折り返され、スチール製枠組み本体の横方向外側に向かって前部２４２Ｂに沿って延びる部位である。前方折り返し部２４２Ｃの上端は、前部２４２Ｂの上端よりも下方において終端している。前方折り返し部２４２Ｃの上端と、前部２４２Ｂの上端との高さの差は、上框部材２１０のベース材２１２の上部２１２Ａの上面と、前方折り返し部２１２Ｃの端部２１０Ｂに相当する部分の下端縁の高さの差に等しい。なお、前方折り返し部２４２Ｃの下端も、上端同様に、前部２４２Ｂの下端よりも上方において終端している。前方折り返し部２４２Ｃの外側面は、前部２４２Ｂの内側面に当接接合されている。
【０１０９】
前方溝底部２４２Ｄは、前方折り返し部２４２Ｃの横方向外側の縁端部が前後方向に内側に向かって折り曲げられ、縦框部材２４０の厚さ方向中央まで延びる部分である。縦框部材２４０のベース材２４２の前方溝底部２４２Ｄの上端は、前方折り返し部２４２Ｃの上端と、前部２４２Ｂの上端との間で終端している。前方溝底部２４２Ｄの上端と、前部２４２Ｂの上端との高さの差は、上框部材２１０の端部２１０Ｂの高さに等しい。また、縦框部材２４０のベース材２４２の前方溝底部２４２Ｄの下端も、上端と同様に、前方折り返し部２４２Ｃの下端と、前部２４２Ｂの下端との間で終端している。
【０１１０】
また、ベース材２４２の前部２４２Ｂ及び前方折り返し部２４２Ｃの上方の横方向内側部分は、矩形状に切り欠かれて切り欠き部２４２Ｅが形成されている。この切り欠き部２４２Ｅの高さは、上框部材２１０のベース材２１２の前部２１２Ｂの全高と等しい。
後部２４２Ｆは、底部２４２Ａの後方の縁端部で折り曲げられ、スチール製枠組み本体の横方向内側に向かって延びる部位であり、スチール製枠組み本体の全高と等しい高さを有する。後方折り返し部２４２Ｇは、後部２４２Ｆの横方向内側の縁端部で内側に折り返され、スチール製枠組み本体の横方向外側に向かって後部２４２Ｆに沿って延びる部位である。後方折り返し部２４２Ｇの上端は、後部２４２Ｆの上端と等しい高さとなっている。なお、後方折り返し部２４２Ｇの下端も、上端同様に、後部２４２Ｆの下端と等しい高さとなっている。後方折り返し部２４２Ｇの外側面は、後部２４２Ｆの内側面に当接接合されている。
【０１１１】
後方溝底部２４２Ｈは、後方折り返し部２４２Ｇの横方向外側の縁端部が前後方向に内側に向かって折り曲げられ、縦框部材２４０の厚さ方向中央まで延びる部分である。縦框部材２４０のベース材２４２の後方溝底部２４２Ｈの上端は、前方溝底部２４２Ｄの上端と等しい高さとなっており、前方溝底部２４２Ｄ及び後方溝底部２４２Ｈの前後方向内側端部は互いに対向している。
【０１１２】
補強材２４４は、底部２４４Ａと、底部２４４Ａの前後の縁端部から横方向外側に延びる一対の側部２４４Ｂとを備えた鉛直断面「コ」の字形の長尺部材であり、横方向外側に向かって開口するようにベース材２４２の前部２４２Ｂ及び後部２４２Ｆの間に配置されている。底部２４４Ａは、ベース材２４２の前方溝底部２４２Ｄ及び後方溝底部２４２Ｈの外側面に沿って延びるとともに、これら溝底部２４２Ｄ、２４２Ｈに当接接合されている。また、側部２４４Ｂは、ベース材２４２の前部２４２Ｂ及び後部２４２Ｆの内側面に沿って延びるとともに、前部２４２Ｂ及び後部２４２Ｆに当接接合されている。補強材２４４の上端は、ベース材２４２の溝底部２４２Ｄ、２４２Ｈの上端と同じ高さで終端している。これと同様に、補強材２４４の下端は、ベース材２４２溝底部２４２Ｄ、２４２Ｈの下端と同じ高さで終端している。
【０１１３】
−組立方法−
図１７は、第３実施形態の上框部材２１０と、縦框部材２４０の接合構造を示す正面図である。
同図に示すように、上框部材２１０と縦框部材２４０とを接合する際には、上框部材２１０の端部２１０Ｂが、縦框部材２４０の上端部において、縦框部材２４０のベース材２４２の前部２４２Ｂ及び後部２４２Ｆの間に位置するように嵌め込む。そして、上框部材２１０と、縦框部材２４０と溶接及びボルトにより接合する。
【０１１４】
これにより、上框部材２１０のベース材２１２の前方折り返し部２１２Ｃの前部２１２Ｂに対して横方向側方に突出した部分の下端が、縦框部材２４０のベース材２４２の折り返し部２４２Ｃの上縁に当接する。また、上框部材２１０の上部補強材２１６の前部２１６Ｂ及び端部蓋材２１８の後部２１８Ｂの下縁が、縦框部材２４０の補強材２４４の側部２４４Ｂの上縁と当接する。また、上框部材２１０のベース材２１２の前部２１２Ｂの側方の縁と、縦框部材２４０のベース材２４２の前部２４２Ｂの切り欠き部２４２Ｅの側方の縁とが当接する。また、上框部材２１０の下部補強材２１４の側方の縁、及び、ベース材２１２の折り返し部２１２Ｃ、Ｆ、溝底部２１２Ｄ、Ｇ及び後下部２１２Ｅ２の側方の縁と、縦框部材２４０の溝底部２４２Ｄ、Ｈの横方向内側面とが当接する。また、上框部材２１０の端部蓋材２１８の側部２１８Ａと、縦框部材２４０のベース材２４２の底部２４２Ａの横方向内側面とが当接する。かかる構成により、上框部材２１０と右側の縦框部材２４０とを、強固に接合することができる。
【０１１５】
下框部材と縦框部材との接合部も、上記の上框部材２１０と、縦框部材２４０との接合部と同様に構成すればよい。
【０１１６】
−作用効果−
本実施形態によれば、第１実施形態と同様の、起立部の厚さを抑えることができる効果及び、上又は下框部材と縦框部材とを強固に接合できる効果に加えて、以下の効果が奏される。
【０１１７】
本実施形態では、上框部材２１０のベース材２１２の前部２１２Ｂの側方の縁と、縦框部材２４０のベース材２４２の前部２４２Ｂの切り欠き部２４２Ｅの上下方向に延びる側方の縁とが当接する。このため、上框部材２１０のベース材２１２の前部２１２Ｂが、縦框部材２４０のベース材２４２の前部２４２Ｂと同一平面となる。このため、組み立てられたスチール製枠組み構造は、前面及び後面が平坦となり、意匠性を向上することができる。
【０１１８】
なお、上記の各実施形態では、二重ガラスを保持するためのスチール製枠組み構造について説明したが、これに限らず、単層ガラスを保持する場合にも本発明を適用できる。このような場合であっても、従来に比べて枠組み構造の厚さを削減することができる。
【０１１９】
また、上記の各実施形態では、上框部材、下框部材、及び一対の縦框部材によりスチール製枠組み構造が構成された場合について説明したが、これに限らず、一対の縦框部材の間に中框部材を設けたり、上框部材と下框部材との間に縦桟を設けたりしてもよい。このような場合であっても、上框部材、下框部材、及び縦桟の内側部分に前後面を形成する一対の側部と、側部の内側部分が前後方向中心に向かってに折り返されてなる折り返し部とを形成し、側部と前記折り返し部が隙間なく当接することにより起立部を構成することで、枠組み構造の厚さを削減することができる。
【符号の説明】
【０１２０】
１  スチール製枠組み構造
２  スチール製枠組み本体
２Ａ  開口
４Ａ  板ガラス
１０  上框部材
１０Ａ  中央部
１０Ｂ  端部
１２  起立部
１２Ａ  溝部
１４  ベース材
１４Ａ  上部
１４Ｂ  側部
１４Ｃ  折り返し部
１４Ｄ  溝底部
１４Ｅ  端部
１４Ｆ  中央部
１６  溝部補強材
１６Ａ  底部
１６Ｂ  側部
１８  上部補強材
１９  端部補強材
１９Ａ  側部
１９Ｂ  基部面
２０  下框部材
２０Ａ  中央部
２０Ｂ  端部
２２  起立部
２４  ベース材
２４Ａ  底部
２４Ｂ  後部
２４Ｃ  前部
２４Ｄ  折り返し部
２４Ｅ  端部
２４Ｆ  溝底部
２４Ｇ  中央部
２４Ｈ  端部
２５  溝補強材
２５Ａ  溝裏部
２５Ｂ  後部
２５Ｃ  前部
２５Ｄ  中央部
２５Ｅ  端部
２６  下部補強材
２８  部材
２８Ａ  前部
２８Ｂ  折り返し部
２９  端部補強材
２９Ａ  側部
２９Ｂ  基部面
３０  縦框部材
３２  起立部
４０  縦框部材
４２  起立部
４４  ベース材
４４Ａ  底部
４４Ｂ  側部
４４Ｃ  折り返し部
４４Ｄ  溝底部
４６  溝部補強材
４６  溝補強材
４６Ａ  底部
４６Ｂ  側部
５０  スペーサ
５２  シーリング部材
１１０  上框部材
１１０Ａ  中央部
１１０Ｂ  端部
１１２  ベース材
１１２Ａ  上部
１１２Ｂ  後部
１１２Ｃ  後方折り返し部
１１２Ｄ  溝底部
１１２Ｅ  前部
１１２Ｆ  前方折り返し部
１１４  補強材
１１４Ａ  上部
１１４Ｂ  後上部
１１４Ｃ  前部
１１４Ｄ  底部
１１４Ｅ  後下部
１１４Ｆ  側部
１１４Ｇ  中央部
１１６  端部蓋材
１４０  縦框部材
１４２  ベース材
１４２  各構成材
１４２  構成材
１４２Ａ  底部
１４２Ｂ  側部
１４２Ｂ  両側部
１４２Ｃ  折り返し部
１４２Ｄ  溝底部
１４２Ｅ  切り欠き部
１４４  補強材
１４４Ａ  底部
１４４Ｂ  側部
２１０  上框部材
２１０Ａ  中央部
２１０Ｂ  端部
２１２  ベース材
２１２Ｅ１  後上部
２１２Ｅ２  後下部
２１２Ａ  上部
２１２Ｂ  前部
２１２Ｃ  部
２１２Ｄ  前方溝底部
２１２Ｅ  後部
２１２Ｆ  部
２１２Ｇ  後方溝底部
２１４  下部補強材
２１４Ａ  下部
２１４Ｂ  前部
２１４Ｃ  後部
２１６  上部補強材
２１６Ａ  上部
２１６Ｂ  前部
２１６Ｃ  後部
２１８  端部蓋材
２１８Ａ  側部
２１８Ｂ  後部
２４０  縦框部材
２４２  ベース材
２４２Ａ  底部
２４２Ｂ  前部
２４２Ｃ  部
２４２Ｄ  溝底部
２４２Ｄ  前方溝底部
２４２Ｅ  部
２４２Ｆ  後部
２４２Ｇ  部
２４２Ｈ  後方溝底部
２４４  補強材
２４４Ａ  底部
２４４Ｂ  側部
【図１】
2015101883.tif 000003
【図２】
2015101883.tif 000004
【図３】
2015101883.tif 000005
【図４】
2015101883.tif 000006
【図５】
2015101883.tif 000007
【図６】
2015101883.tif 000008
【図７】
2015101883.tif 000009
【図８】
2015101883.tif 000010
【図９】
2015101883.tif 000011
【図１０】
2015101883.tif 000012
【図１１】
2015101883.tif 000013
【図１２】
2015101883.tif 000014
【図１３】
2015101883.tif 000015
【図１４】
2015101883.tif 000016
【図１５】
2015101883.tif 000017
【図１６】
2015101883.tif 000018
【図１７】
2015101883.tif 000019
【図１８】
2015101883.tif 000020